(57)【特許請求の範囲】
【請求項１】
長方形の、少なくとも短辺が同じ長さの複数枚のクーポン券が、重ねて綴じ合わされたクーポン冊子であって、
それぞれのクーポン券は、短辺に平行に形成された切り離し予定部によって控部と、クーポン券本体部と、クーポンＩＤ表示予定部に分割され、
前記、控部とクーポン券本体部とクーポンＩＤ表示予定部にバーコードまたは文字，記号による同一内容でクーポン冊子毎に固有のクーポンＩＤがプリンタによって印字され、
前記クーポン券本体部には前記クーポンＩＤを切り離すための、クーポン券の短辺、長辺に平行な切り込みが形成されたことを特徴とするクーポン冊子。
【請求項２】
請求項１に記載のクーポン冊子において、
クーポン冊子にはクーポン冊子の少なくとも短辺が同じ長さのおもて表紙、うら表紙の何れか又は両方が綴じ合わされたことを特徴とするクーポン冊子。
【請求項３】
請求項１，２何れか一項に記載のクーポン冊子において、
クーポンＩＤ表示予定部のクーポンＩＤ表示予定面の裏面には水再活性型の接着剤が形成されたことを特徴とするクーポン冊子。
【請求項４】
請求項１，２何れか一項に記載のクーポン冊子において、
クーポンＩＤ表示予定部のクーポンＩＤ表示予定面の裏面には粘着テープが貼付されたことを特徴とするクーポン冊子。
【請求項５】
請求項４に記載のクーポン冊子において、
クーポン冊子に綴じ合わされたうら表紙の長辺は、少なくとも、クーポンＩＤ表示予定部の短辺の長さ分、クーポン冊子より短いことを特徴とするクーポン冊子。
【請求項６】
請求項１〜５何れかに記載のクーポン冊子の使用方法であって、
バーコードまたは文字，記号による同一内容でクーポン冊子毎に固有のクーポンＩＤがプリントされたクーポン冊子が第一の利用者に提供される段階と、
第一の利用者によって控部とクーポン券本体部との間で切り離されてクーポン券本体部とクーポンＩＤ表示予定部が連接された状態で第二の利用者に提供される段階と、
第二の利用者によってＩＤ表示予定部が切り離されて利用される段階と、
切り離されたクーポンＩＤ表示予定部が貼付手段によって他の帳票に貼付される段階と、からなることを特徴とするクーポン冊子の使用方法。
【発明の詳細な説明】
【技術分野】
【０００１】
本発明は、クーポンＩＤを転記する必要がないクーポン冊子及びクーポン冊子の使用方法に関する。
【背景技術】
【０００２】
近年、新規加入キャンペーン期間中に既存の顧客が新規顧客を紹介すると両者にキャッシュバックという特典が与えられるクーポン券が利用されている。
従来、クーポン券に関しては、単なるクーポン冊子，クーポン冊子に表表紙及び裏表紙を形成したクーポン冊子、さらに、これら冊子を一体的に包装したクーポン冊子が提供されている。
例えば、上記クーポン冊子を一体的に包装したクーポン冊子は、封筒上片と封筒下片との３周辺側が接着されてなる封筒において、封筒上片は透明または半透明のシートからなり、この封筒内にクーポン表表紙、クーポン裏表紙、クーポンの順に積み重ね合わされてなる小冊子が挿入されてなると共に、小冊子の一端が封筒端部に接着され、この接着部分の近傍の小冊子または封筒に小冊子引出し用の切取りミシン目が設けられたクーポン冊子である（例えば、特許文献１参照）。
【０００３】
また、複数の紙片を一端で綴じ合わせたクーポン冊子が提供されている。
上記クーポン冊子は、複数のクーポン紙片における最上位または最下位の紙片の一端側を最下位または最上位の紙片に折り重ねて一体に綴じ合わすとともに、この綴じ合わせ部分のクーポン紙片の表裏面の少なくとも一方の表出面に所定幅に及んで着色した着色部を設けたクーポン冊子である（例えば、特許文献２参照）。
【０００４】
【特許文献１】実開昭５５−２５９７０号公報
【特許文献２】実開平５−７０９６９号公報
【発明の開示】
【発明が解決しようとする課題】
【０００５】
特許文献１に記載のクーポン冊子は、クーポン、クーポン裏表紙、クーポン表表紙など必要部分が全て封筒内に内包されており、これにより連続形態として用いる場合にも、プリンタのフィード機構に引掛ることなくスムーズにフィードされると共に、必要な情報を確認しながらプリントでき、プリントした後はクーポン両表紙を付したり、袋に入れたりする必要がなく、プリント後直ぐに利用者に手渡す場合にも、クーポンの印字内容が見えるので間違いなく手渡すことができるなど、事務処理が簡便に行え、複数枚からなる国際線の航空クーポン、その他特定可変情報を記載する表紙付切取り票などの使用に便利であるとしている。
また、特許文献２に記載の冊子は、最上位または最下位の紙片が従来のクロスを兼ねるので、綴じ合わせ端を保護し得る一方、冊子を構成する紙片の枚数が少なくてすみ、構成が簡潔になるとともに作成が容易であり、また、着色部を設けることで従来のクロス綴じと同様の外観を有するので体裁を損なうことがないとしている。
【０００６】
特許文献１，特許文献２の例で判るように、従来提供されてきたクーポン冊子は前述のようなキャンペーン期間中に既存の顧客が新規顧客を紹介すると両者にキャッシュバックするという特典が与えられるクーポン券ではない。
そこで本発明は、前記の如く、クーポンＩＤが台帳や、申し込み帳票などに転記されて利用されるクーポン券の利用分野で、クーポンＩＤを転記する必要がないクーポン冊子及びクーポン冊子の使用方法を提供することを目的とするものである。
【課題を解決するための手段】
【０００７】
前記課題の目的を達成するために、本発明のクーポン冊子の第一の発明は、長方形の、少なくとも短辺が同じ長さの複数枚のクーポン券が、重ねて綴じ合わされたクーポン冊子であって、それぞれのクーポン券は、短辺に平行に形成された切り離し予定部によって控部と、クーポン券本体部と、クーポンＩＤ表示予定部に分割され、前記、控部とクーポン券本体部とクーポンＩＤ表示予定部にバーコードまたは文字，記号による同一内容でクーポン冊子毎に固有のクーポンＩＤがプリンタによって印字され、前記クーポン券本体部には前記クーポンＩＤを切り離すための、クーポン券の短辺、長辺に平行な切り込みが形成されたことを特徴とするものである。
【０００８】
また、第二の発明は、第一の発明において、クーポン冊子にはクーポン冊子の少なくとも短辺が同じ長さのおもて表紙、うら表紙の何れか又は両方が綴じ合わされたことを特徴とするものである。
【０００９】
また、第三の発明は、第一，第二何れかの発明において、クーポンＩＤ表示予定部のクーポンＩＤ表示予定面の裏面には水再活性型の接着剤が形成されたことを特徴とするものである。
【００１０】
また、第四の発明は、第一，第二何れかの発明において、クーポンＩＤ表示予定部のクーポンＩＤ表示予定面の裏面には粘着テープが貼付されたことを特徴とするものである。
【００１１】
また、第五の発明は、第四の発明において、クーポン冊子に綴じ合わされたうら表紙の長辺は、少なくとも、クーポンＩＤ表示予定部の短辺の長さ分、クーポン冊子より短いことを特徴とするものである。
【００１２】
また、第六の発明は、請求項１〜５何れかに記載のクーポン冊子の使用方法であって、
バーコードまたは文字，記号による同一内容でクーポン冊子毎に固有のクーポンＩＤがプリントされたクーポン冊子が第一の利用者に提供される段階と、
第一の利用者によって控部とクーポン券本体部との間で切り離されてクーポン券本体部とクーポンＩＤ表示予定部が連接された状態で第二の利用者に提供される段階と、
第二の利用者によってＩＤ表示予定部が切り離されて利用される段階と、
切り離されたクーポンＩＤ表示予定部が貼付手段によって他の帳票に貼付される段階と、からなることを特徴とするものである。
【発明の効果】
【００１３】
本発明のクーポン冊子及びクーポン冊子の使用方法によって、下記のような効果が期待できる。
従来は、クーポン券を使用する場合、取扱店でクーポンＩＤを台帳などに転記していたが、記載ミスによって新規顧客を紹介した第一の利用者や、クーポン券の提供を受けて新たに顧客の仲間入りをする予定の第二の利用者に対して企画されたとおりの特典が与えられないという問題が発生した。
このような問題に対して、本発明のクーポン冊子及びクーポン冊子の使用方法は、前記第一の利用者，第二の利用者である顧客に対して、主催者の思惑通りの効果をもたらすことができた。
また、クーポン券を取り扱う店に対して手間をかけさせることなく、確実に協力してもらうことが可能になった。
【発明を実施するための最良の形態】
【００１４】
以下、図を参照して本発明のクーポン冊子及びクーポン冊子の使用方法について説明する。
図１は、本発明のクーポン冊子の一例について説明するための図，図２は、従来のクーポン冊子の一例について説明するための図，図３は、図１のＡ部を拡大した図，図４は、図３のＢ−Ｂ線断面の一例について説明するための図，図５は、図３のＢ−Ｂ線断面の一例について説明するための図，図６は、図３のＢ−Ｂ線断面の一例について説明するための図である。
【００１５】
図１を参照して、本発明のクーポン冊子の一例について説明する。
本発明のクーポン冊子１は、長方形の、少なくとも短辺が同じ長さの複数枚（本実施の形態では５枚のクーポン券が綴じ合わされたクーポン冊子について説明する。）のクーポン券が、重ねて綴じ合わされたクーポン冊子１である。
図に示すクーポン券の最上部（おもて表紙１１の裏側のクーポン券１２）は、短辺に平行に形成された切り離し予定部２，４によって控部１２１と、クーポン券本体部１２２と、クーポンＩＤ表示予定部１２３に分割されている。
【００１６】
２枚目から５枚目のクーポン券についても同様の構成になっているが、各クーポン券の控部１２１，クーポン券本体部１２２のコーナー部１２３には、同一内容でクーポン冊子毎に固有のバーコードによるクーポンＩＤ１２１０，１２３０がプリンタなどによって印字され表示されている。
また、クーポン券本体部１２２，クーポンＩＤ表示予定部１２４には、クーポン券の控部１２１，クーポン券本体部１２２のコーナー部１２３に表示されたものと同一内容の数字によるクーポンＩＤ１２２０，１２４０がプリンタなどによって印字され表示されている。
【００１７】
クーポン券のおもて表紙１１，うら表紙１７は、クーポン券本体部１２２と短辺の長さが同一で、長辺の長さはおもて表紙１１，うら表紙１７共にクーポン券本体部１２２と同一か、うら表紙だけが短くなっている。
【００１８】
前記クーポン券本体部１２２のコーナー部１２３に表示されたバーコードによるクーポンＩＤ１２３０の周辺には短辺、長辺に平行な切り離し用の切り込み３形成され、このコーナー部だけ切り離しができるようになっている。切り離されたコーナー部１２３は、利用店に保管される。
【００１９】
クーポンＩＤ１２４０が表示されたクーポンＩＤ表示予定部１２４は、クーポン本体部１２２から切り離し予定部４で切り離された後、台帳などに添付される。
そのために、クーポンＩＤ表示予定部１２４の裏面には、図示しないが、水再活性型の接着剤や、粘着テープが貼付されている。
上記、水再活性型の接着剤や、粘着テープが貼付されていない場合は、クーポンＩＤ表示予定部１２４は、切り離された後、裏面に接着剤が塗布されて前述の台帳（郵送で扱われる場合は、所定の申込帳票などに貼付される場合もある。）などに貼付される。
【００２０】
クーポンＩＤ表示予定部のクーポンＩＤ表示予定面の裏面に粘着テープが貼付された場合は、粘着テープの粘着剤を保護するために薄い剥離紙が使用されるが、そのために、クーポンＩＤ表示予定部１２４部分だけ厚くならないように、うら表紙の長辺方向の長さをクーポンＩＤ表示予定部の短辺程度短くすることができる。
【００２１】
おもて表紙１１には、クーポン券と綴じ合わせるときにミスマッチが起きないように、クーポン券の控部１２１，クーポン券本体部１２２のコーナー部１２３に表示されたものと同一内容のバーコードによるクーポンＩＤ１１２が印字される。
また、おもて表紙には、綴じ合わされるクーポン券の総額、例えば、「５０，０００円分」などの印刷部１１１が形成されている。
【００２２】
図２を参照して、従来のクーポン冊子の一例について説明する。
図２に示す従来のクーポン冊子１は、図１に示すクーポン冊子に対して、クーポンＩＤ表示予定部１２４が形成されていない以外はほとんど共通仕様になっている。
従来は、前述のようにクーポン券を提供された者が、クーポン冊子１のクーポン券にプリントされたクーポンＩＤ１２２０などを所定の申込帳票などに転記していた。また、加盟店などの店員がクーポン冊子１のクーポン券にプリントされたクーポンＩＤ１２２０を台帳に転記していた。
【００２３】
図３は、図１のＡ部、クーポン券１２の一部を拡大した図で、クーポン券本体部１２２の延長上にクーポンＩＤ表示予定部１２４が形成され、切り離し予定部４でクーポン券本体部１２２から切り離すことができるようになっている。
クーポンＩＤ表示予定部１２４には、クーポンＩＤ１２４０がプリントされている。
【００２４】
図４は、図３のＢ−Ｂ線断面の一例を示している。
クーポンＩＤ１２４０が印字されたクーポンＩＤ表示予定部１２４を切り離し予定部４でクーポン券本体部１２２から切り離し、クーポンＩＤ表示予定部１２４の裏側（クーポンＩＤ１２４０が印字された裏側）に接着剤を塗布して台帳などに貼付する例である。
【００２５】
図５は、図３のＢ−Ｂ線断面の一例を示している。
クーポンＩＤ１２４０が印字されたクーポンＩＤ表示予定部１２４を切り離し予定部４でクーポン券本体部１２２から切り離し、クーポンＩＤ表示予定部１２４の裏側（クーポンＩＤ１２４０が印字された裏側）の水再活性型の接着剤５０を、水を含んだスポンジなどの表面で濡らし、接着剤を活性化させてクーポンＩＤ表示予定部１２４を台帳などに貼付する例である。
【００２６】
図６は、図３のＢ−Ｂ線断面の一例を示している。
クーポンＩＤ１２４０が印字されたクーポンＩＤ表示予定部１２４を切り離し予定部４でクーポン券本体部１２２から切り離し、クーポンＩＤ表示予定部１２４の裏側（クーポンＩＤ１２４０が印字された裏側）に形成された粘着テープの剥離紙６を剥離して粘着剤５００を露出させ、台帳などに貼付する例である。
【００２７】
図１を参照して、本発明のクーポン冊子の製造方法の一例について簡単に説明する。
下記の製造方法は、一例であって、これに拘るものではない。
クーポン冊子１のおもて表紙１１，図示しないがクーポン券１２〜１６，うら表紙１７をそれぞれ連続フォーム仕様で印刷する。接着部を形成する場合は、印刷ラインまたは、加工ラインでクーポンＩＤ表示予定部の裏面に接着剤の形成又は粘着テープ貼りを行う。
まず、おもて表紙用の連続フォームにクーポンＩＤ１１２を印字する。
クーポン券１２の連続フォームの、控部１２１，クーポン券本体部１２２，クーポンＩＤ表示予定部１２４にそれぞれ、クーポンＩＤ１２１０，１２２０，１２３０，１２４０をプリントする。図示していないが、同様の手順で、次の枚目のクーポン券の連続フォームの控部，クーポン券本体部，クーポンＩＤ表示予定部にクーポンＩＤをプリントする。
さらに、３〜５枚目のクーポン券の連続フォームの控部，クーポン券本体部，クーポンＩＤ表示予定部に順次、クーポンＩＤをプリントする。
プリントされた６パートにうら表紙を添えて、丁合装置で７枚の重ね合わせ冊子を作製する。クーポン券は短辺が４インチのものが多く、横２面（断ち落とし部を含め、４２ｃｍ）、縦４面（断ち落とし部を含め、１８インチ）の８面付けの綴じ合わせシート（４２ｃｍ幅１８インチ長）でカットし、丁合装置から排出する。排出された前述の綴じ合わせシートは裁断して、短辺４インチ、長辺２０ｃｍの単位クーポン冊子に仕上げる。
【００２８】
図１，図６を参照して、本発明のクーポン冊子の使用方法の一例について説明する。
前述の如く、クーポン冊子のそれぞれのクーポン券の控部とクーポン券本体部とクーポンＩＤ表示予定部にバーコードまたは文字，記号によるクーポンＩＤをプリントし、クーポン冊子を作成する。
企画側から、例えば、既に会員になっている第一の利用者にクーポン冊子１が送付（提供）される。
第一の利用者は、クーポン冊子を受け取り、クーポン券を控部とクーポン券本体部との間で切り離し、クーポン券本体部とクーポンＩＤ表示予定部が連接された状態で新規参入を勧める第二の利用者に送付（提供）する。
第二の利用者は、切り離し予定部４でクーポンＩＤ表示予定部を切り離し、新規入会申し込み伝票などの所定の場所に貼付し、所定の宛先に送付する。
上記、新規入会申し込み伝票などの所定の場所に貼付する際に、クーポンＩＤ表示予定部１２４裏面の剥離紙６を剥がし、粘着剤５００の粘着面を露出させて貼付する。
【産業上の利用可能性】
【００２９】
本発明のクーポン冊子は、キャンペーン期間中などで使用されるクーポン冊子に利用できる。
【図面の簡単な説明】
【００３０】
【図１】本発明のクーポン冊子の一例について説明するための図である。
【図２】従来のクーポン冊子の一例について説明するための図である。
【図３】図１のＡ部を拡大した図である。
【図４】図３のＢ−Ｂ線断面の一例について説明するための図である。
【図５】図３のＢ−Ｂ線断面の一例について説明するための図である。
【図６】図３のＢ−Ｂ線断面の一例について説明するための図である。
【符号の説明】
【００３１】
１      クーポン冊子
２，４  切り離し予定部
３      切り込み
６      剥離紙
１１    クーポン券おもて表紙
１２    クーポン券
１７    クーポン券うら表紙
５０    水再活性型接着剤
１１１  印刷部
１１２，１２１０，１２３０  バーコードによるクーポンＩＤ
１２１  控部
１２２  クーポン券本体部
１２３  コーナー部
１２４  クーポンＩＤ表示予定部
５００  粘着剤
１２２０，１２４０  文字，記号によるクーポンＩＤ
【図１】
0005417707.tif 000002
【図２】
0005417707.tif 000003
【図３】
0005417707.tif 000004
【図４】
0005417707.tif 000005
【図５】
0005417707.tif 000006
【図６】
0005417707.tif 000007